(57)【要約】【課題】使用者の体形の変化に対応して形状を調節することができるとともに、パーツを組み合わせてサイズの異なる水着を製造可能とすることにより、コスト抑制が可能となる、水着を提供する。【解決手段】水着１０は、略三角形状の一対の小片部１１と、複数の紐状部１２と、を有し、それぞれの一対の小片部１１における一個の角部１１ａ・１１ａには、中型連結具１３Ｍの端部である挿入部１３ａを挿入可能な第一の挿入孔１４ａが形成され、それぞれの第一の挿入孔１４ａに隣接する箇所には、挿入部１３ａを挿入可能な第二の挿入孔１４ｂが形成され、挿入部１３ａを、角部１１ａにおける第一の挿入孔１４ａ又は第二の挿入孔１４ｂにそれぞれ挿入することにより、一対の小片部１１を互いに連結する。【選択図】図１
2019203207.tif 000002
【特許請求の範囲】
【請求項１】
略三角形状の一対の小片部と、複数の紐状部と、を有する水着であって、
前記一対の小片部は、一個の角部が連結具を介して互いに連結され、
前記複数の紐状部の端部は、前記一対の小片部における他の二個の角部にそれぞれ連結され、
それぞれの前記一対の小片部における前記一個の角部には、前記連結具の端部を挿入可能な第一の挿入孔が形成され、
それぞれの前記一対の小片部における前記第一の挿入孔に隣接する箇所には、前記連結具の端部を挿入可能な第二の挿入孔が形成され、
前記連結具の両端部を、前記一個の角部における前記第一の挿入孔又は前記第二の挿入孔にそれぞれ挿入することにより、前記一対の小片部を互いに連結する、水着。
【請求項２】
略三角形状の一対の小片部と、複数の紐状部と、を有する水着であって、
前記一対の小片部は、一個の角部が一の連結具を介して互いに連結され、
前記複数の紐状部の端部と、前記一対の小片部における他の二個の角部とは、他の連結具を介して互いに連結され、
それぞれの前記一対の小片部における全ての角部には、前記一の連結具又は前記他の連結具の端部を挿入可能な第一の挿入孔が形成され、
それぞれの前記一対の小片部における前記第一の挿入孔に隣接する箇所には、前記一の連結具又は前記他の連結具の端部を挿入可能な第二の挿入孔が形成され、
前記紐状部の端部には、前記他の連結具の端部を挿入可能な挿入部が形成され、
前記一の連結具の両端部を、前記一個の角部における前記第一の挿入孔又は前記第二の挿入孔にそれぞれ挿入することにより、前記一対の小片部を互いに連結し、
前記他の連結具の一端部を、前記他の二個の角部における前記第一の挿入孔又は前記第二の挿入孔にそれぞれ挿入し、前記他の連結具の他端部を、前記紐状部の挿入部に挿入することにより、前記紐状部と前記小片部とを連結する、水着。
【請求項３】
腹部側の前身頃と臀部側の後身頃とを備えた布状の水着であって、
前記前身頃と前記後身頃との両側端部は、連結具を介して互いに連結され、
前記前身頃と前記後身頃とのそれぞれにおける前記両側端部には、前記連結具の端部を挿入可能な第一の挿入孔が形成され、
前記前身頃と前記後身頃とのそれぞれにおける前記第一の挿入孔に隣接する箇所には、前記連結具の端部を挿入可能な第二の挿入孔が形成され、
前記連結具の両端部を、前記両側端部における前記第一の挿入孔又は前記第二の挿入孔にそれぞれ挿入することにより、前記前身頃と前記後身頃との前記両側端部を互いに連結する、水着。
【発明の詳細な説明】
【技術分野】
【０００１】
本発明は、水着に関し、詳細にはセパレートタイプの女性用水着に関する。
【背景技術】
【０００２】
従来、女性の胸部と下半身とを別々に被覆するセパレートタイプの水着が知られている（例えば、特許文献１及び特許文献２を参照）。
【先行技術文献】
【特許文献】
【０００３】
【特許文献１】特開２００７−７７５１５号公報
【特許文献２】特開３１３−１４８６６号公報
【発明の概要】
【発明が解決しようとする課題】
【０００４】
前記の特許文献に記載の水着は、胸部におけるカップ部分の間隔が決まっている。このため、使用者の体形の変化に対応して水着の形状を調節することが困難であった。また、使用者の体格に応じて水着を製造する場合、サイズの異なる水着を複数パターンで生産する必要がある。即ち、それぞれのサイズで水着の在庫が発生するため、コストが嵩む要因となっていた。
【０００５】
本発明は以上の如き状況に鑑みてなされたものであり、本発明が解決しようとする課題は、使用者の体形の変化に対応して水着の形状を調節することができるとともに、パーツを組み合わせてサイズの異なる水着を製造可能とすることにより、コスト抑制が可能となる水着を提供することである。
【課題を解決するための手段】
【０００６】
以下では、上記課題を解決するための手段を説明する。
【０００７】
本発明に係る水着は、略三角形状の一対の小片部と、複数の紐状部と、を有する水着であって、前記一対の小片部は、一個の角部が連結具を介して互いに連結され、前記複数の紐状部の端部は、前記一対の小片部における他の二個の角部にそれぞれ連結され、それぞれの前記一対の小片部における前記一個の角部には、前記連結具の端部を挿入可能な第一の挿入孔が形成され、それぞれの前記一対の小片部における前記第一の挿入孔に隣接する箇所には、前記連結具の端部を挿入可能な第二の挿入孔が形成され、前記連結具の両端部を、前記一個の角部における前記第一の挿入孔又は前記第二の挿入孔にそれぞれ挿入することにより、前記一対の小片部を互いに連結する。
【０００８】
また、本発明に係る水着は、略三角形状の一対の小片部と、複数の紐状部と、を有する水着であって、前記一対の小片部は、一個の角部が一の連結具を介して互いに連結され、前記複数の紐状部の端部と、前記一対の小片部における他の二個の角部とは、他の連結具を介して互いに連結され、それぞれの前記一対の小片部における全ての角部には、前記一の連結具又は前記他の連結具の端部を挿入可能な第一の挿入孔が形成され、それぞれの前記一対の小片部における前記第一の挿入孔に隣接する箇所には、前記一の連結具又は前記他の連結具の端部を挿入可能な第二の挿入孔が形成され、前記紐状部の端部には、前記他の連結具の端部を挿入可能な挿入部が形成され、前記一の連結具の両端部を、前記一個の角部における前記第一の挿入孔又は前記第二の挿入孔にそれぞれ挿入することにより、前記一対の小片部を互いに連結し、前記他の連結具の一端部を、前記他の二個の角部における前記第一の挿入孔又は前記第二の挿入孔にそれぞれ挿入し、前記他の連結具の他端部を、前記紐状部の挿入部に挿入することにより、前記紐状部と前記小片部とを連結する。
【０００９】
また、本発明に係る水着は、腹部側の前身頃と臀部側の後身頃とを備えた布状の水着であって、前記前身頃と前記後身頃との両側端部は、連結具を介して互いに連結され、前記前身頃と前記後身頃とのそれぞれにおける前記両側端部には、前記連結具の端部を挿入可能な第一の挿入孔が形成され、前記前身頃と前記後身頃とのそれぞれにおける前記第一の挿入孔に隣接する箇所には、前記連結具の端部を挿入可能な第二の挿入孔が形成され、前記連結具の両端部を、前記両側端部における前記第一の挿入孔又は前記第二の挿入孔にそれぞれ挿入することにより、前記前身頃と前記後身頃との前記両側端部を互いに連結する。
【発明の効果】
【００１０】
本発明に係る水着によれば、使用者の体形の変化に対応して水着の形状を調節することができるとともに、パーツを組み合わせてサイズの異なる水着を製造可能とすることにより、コスト抑制が可能となる、という効果を奏する。
【図面の簡単な説明】
【００１１】
【図１】第一実施形態に係る水着の第一使用例による使用状態を示す斜視図。
【図２】連結具で小片部を連結する構成を示す斜視図。
【図３】（ａ）及び（ｂ）は第一実施形態に係る水着の第一使用例及び第二使用例を示す正面図。
【図４】（ａ）、（ｂ）、及び、（ｃ）はそれぞれ、中型連結具、大型連結具、及び、小型連結具を示す斜視図。
【図５】（ａ）及び（ｂ）は第一実施形態に係る水着の第三使用例及び第四使用例を示す正面図。
【図６】（ａ）及び（ｂ）は第一実施形態に係る水着の第五使用例及び第六使用例を示す正面図。
【図７】（ａ）及び（ｂ）は第二実施形態に係る水着の第一使用例及び第二使用例を示す正面図。
【図８】（ａ）及び（ｂ）は第二実施形態に係る水着の第三使用例及び第四使用例を示す正面図。
【図９】第三実施形態に係る水着の第一使用例を示す斜視図。
【図１０】第三実施形態に係る水着の第二使用例を示す斜視図。
【発明を実施するための形態】
【００１２】
以下では図１から図６を用いて、本発明の第一実施形態に係る水着１０について説明する。まず、図１、図２、及び、図３（ａ）を用いて、水着１０の第一使用例を説明する。本実施形態に係る水着１０は、主に女性の胸部に着用されるセパレートタイプの水着であり、略正三角形状の布状部材である一対の小片部１１と、複数の紐状部１２と、を有する。水着１０において、小片部１１及び紐状部１２の素材はポリエステル等の化学繊維が採用されている。図３に示す如く、紐状部１２は肩紐１２ａ・１２ａと胸紐１２ｂ・１２ｂとで構成されている。小片部１１の後面（使用者Ｕの体が接触する側の面）には、図示しないパットが挿入されたポケット部が形成されている。
【００１３】
図１に示す如く、一対の小片部１１は、内側で互いに近接する一個の角部１１ａ・１１ａが、連結具である中型連結具１３Ｍ（図４（ａ）を参照）を介して互いに連結されている。中型連結具１３Ｍは両端部にピン状の挿入部１３ａ・１３ａが形成された板状の金属製部材である。なお、連結具を樹脂製とすることも可能である。中型連結具１３Ｍの表面に模様を施したり、文字を記載したり、ロゴマークを付したり、装飾品を付けたりすることも可能である（後述する大型連結具１３Ｌについても同様）。
【００１４】
また、肩紐１２ａ・１２ａの端部は一対の小片部１１における上側の角部１１ｂ・１１ｂに連結されている。さらに、胸紐１２ｂ・１２ｂの端部は一対の小片部１１における側方の角部１１ｃ・１１ｃに連結されている。本実施形態において、肩紐１２ａ・１２ａ及び胸紐１２ｂ・１２ｂは小片部１１のそれぞれの角部１１ｂ・１１ｃに縫い合わされている。
【００１５】
図２に示す如く、それぞれの小片部１１における角部１１ａには、中型連結具１３Ｍの挿入部１３ａを挿入可能な第一の挿入孔１４ａが形成されている。また、第一の挿入孔１４ａよりも内側で隣接する箇所には、挿入部１３ａを挿入可能な第二の挿入孔１４ｂが形成されている。
【００１６】
本使用例において水着１０を構成する際には、中型連結具１３Ｍの挿入部１３ａ・１３ａを、角部１１ａ・１１ａにおける第一の挿入孔１４ａ又は第二の挿入孔１４ｂに上方からそれぞれ挿入する。本使用例においては図２中の一点鎖線矢印Ａ・Ａに示す如く、挿入部１３ａ・１３ａを第一の挿入孔１４ａ・１４ａに挿入している。これにより、一対の小片部１１が互いに連結される。
【００１７】
使用者Ｕが水着１０を着用する際には、中型連結具１３Ｍで連結した小片部１１・１１を胸部に当接させた状態で、肩紐１２ａ・１２ａの他端部を首の背後で互いに結び合わせ、さらに胸紐１２ｂ・１２ｂの他端部を背中で互いに結び合わせるのである。なお、肩紐１２ａ・１２ａと胸紐１２ｂ・１２ｂについては互いに結び合わせるだけでなく、肩紐１２ａと胸紐１２ｂとをたすき掛けにして結びつけたり、ゴム等の弾性素材で互いに連結したりするなど、他の構成とすることも可能である。
【００１８】
次に、図３（ｂ）を用いて、水着１０の第二使用例を説明する。本使用例における水着１０は、中型連結具１３Ｍの挿入部１３ａ・１３ａを、角部１１ａ・１１ａにおける第二の挿入孔１４ｂ・１４ｂに挿入することにより構成されている。これにより、小片部１１の間隔Ｌ２を、第一使用例における小片部１１の間隔Ｌ１（図３（ａ）を参照）よりも小さくすることができる。
【００１９】
このように、本実施形態に係る水着１０によれば、中型連結具１３Ｍの挿入部１３ａ・１３ａを挿入する挿入孔を、第一の挿入孔１４ａ又は第二の挿入孔１４ｂに変更することにより、胸部における小片部１１の間隔Ｌを調整することができる。このため、水着１０においては、使用者Ｕの体形の変化に対応して形状を調節することが可能となる。例えば、成長の度合いに応じて小片部１１の間隔Ｌを大きくしたり、使用者Ｕが変わった場合に小片部１１の間隔を変更したりすることができるのである。
【００２０】
次に、図５（ａ）を用いて、水着１０の第三使用例を説明する。本使用例における水着１０は、中型連結具１３Ｍよりも長い大型連結具１３Ｌ（図４（ｂ）を参照）を用いて小片部１１を連結している。大型連結具１３Ｌは、中型連結具１３Ｍと同様に、両端部にピン状の挿入部１３ａ・１３ａが形成された板状の金属製部材である。図４（ｂ）に示す如く、大型連結具１３Ｌにおいては挿入部１３ａ・１３ａの距離が中型連結具１３Ｍよりも長くなるように形成されている。本使用例において水着１０は、大型連結具１３Ｌの挿入部１３ａ・１３ａを、角部１１ａ・１１ａにおける第一の挿入孔１４ａ・１４ａに挿入することにより構成されている。これにより、小片部１１の間隔Ｌ３を、第一使用例における小片部１１の間隔Ｌ１よりもさらに大きくすることができる。
【００２１】
次に、図５（ｂ）を用いて、水着１０の第四使用例を説明する。本使用例における水着１０は、中型連結具１３Ｍよりも短い小型連結具１３Ｓ（図４（ｃ）を参照）を用いて小片部１１を連結している。小型連結具１３Ｓは、中型連結具１３Ｍと同様に、両端部にピン状の挿入部１３ａ・１３ａが形成された金属製部材である。図４（ｃ）に示す如く、小型連結具１３Ｓにおいては挿入部１３ａ・１３ａが近接して形成されている。本使用例において水着１０は、小型連結具１３Ｓの挿入部１３ａ・１３ａを、角部１１ａ・１１ａにおける第二の挿入孔１４ｂ・１４ｂに挿入することにより構成されている。これにより、小片部１１の間隔Ｌ４を、第二使用例における小片部１１の間隔Ｌ２よりもさらに小さくすることができる。
【００２２】
このように、本実施形態に係る水着１０によれば、大型・中型・小型の連結具１３Ｌ・１３Ｍ・１３Ｓを選択して小片部１１に組み合わせるとともに、小片部１１で使用する挿入孔を第一の挿入孔１４ａ・１４ａと第二の挿入孔１４ｂ・１４ｂとで変更することにより、小片部１１の間隔Ｌを調整することが可能となる。即ち、長さの異なる各連結具１３Ｌ・１３Ｍ・１３Ｓの何れかを選択するだけで、小片部１１・１１の間隔が異なる水着１０を構成することができ、他の部分（小片部１１、及び、紐状部１２）を共通化することができる。このように、各連結具１３Ｌ・１３Ｍ・１３Ｓを変更するだけで、サイズの異なる水着１０の製造が可能となるため、製造費用や在庫費用等のコストを抑制することが可能となる。
【００２３】
次に、図６（ａ）を用いて、水着１０の第五使用例を説明する。本使用例における水着１０は、中型連結具１３Ｍを用いて小片部１１を連結している。本使用例において水着１０は、中型連結具１３Ｍの挿入部１３ａ・１３ａを、角部１１ａ・１１ａにおける第一の挿入孔１４ａ・１４ａに挿入することにより構成されている。そして、右側の小片部１１における第二の挿入孔１４ｂに、アクセサリー１５ａを支持するためのピン１５ｂが挿入されている。
【００２４】
このように、本実施形態に係る水着１０によれば、連結具の挿入部１３ａ・１３ａが挿入されていない第二の挿入孔１４ｂ・１４ｂ（挿入部１３ａ・１３ａが第二の挿入孔１４ｂ・１４ｂに挿入されていれば第一の挿入孔１４ａ・１４ａ）を活用してアクセサリー１５ａ等を組付けることができるため、水着１０の装飾性を向上させて楽しむことが可能となる。なお、アクセサリー１５ａとしては、図示するリボンのような形状以外にも、人形や動物、キャラクター等の造形物、時計等の機器類など、他の構成を採用することも可能である。また、アクセサリー１５ａにピン１５ｂを二本設け、ピン１５ｂ・１５ｂを左右両方の小片部１１・１１における第二の挿入孔１４ｂ・１４ｂにそれぞれ挿入する構成とすることも可能である。
【００２５】
次に、図６（ｂ）を用いて、水着１０の第六使用例を説明する。本使用例における水着１０は、分割連結具１３ｐ・１３ｐと、分割連結具１３ｐ・１３ｐの双方と結合可能なガジェット１３ｇを用いて小片部１１を連結している。本使用例において、分割連結部１３ｐ・１３ｐは図６（ｂ）中の破線矢印に示す如くガジェット１３ｇを組付けることにより、小片部１１を連結可能としている（図８（ｂ）を参照）。
【００２６】
このように、本実施形態に係る水着１０によれば、分割連結具１３ｐ・１３ｐの間にガジェット１３ｇを組付けることにより、水着１０の装飾性を向上させて楽しむことが可能となる。なお、ガジェット１３ｇとしては、図示する電子機器のような形状以外にも、人形や動物、キャラクター等の造形物など、他の構成を採用することも可能である。
【００２７】
次に、図７及び図８を用いて、本発明の第二実施形態に係る水着２０について説明する。まず、図７（ａ）を用いて、水着２０の第一使用例を説明する。本実施形態に係る水着１０は、略三角形状の布状部材である一対の小片部２１と、複数の紐状部２２と、を有する。小片部２１及び紐状部２２の素材はポリエステル等の化学繊維が採用されている。図７（ａ）に示す如く、本使用例における小片部２１・２１は、斜め方向の縞模様が中央部分を軸として対称形状となるように配置されている。紐状部２２は、肩紐２２ａ・２２ａと胸紐２２ｂ・２２ｂとで構成されている。小片部２１の後面（使用者Ｕの体が接触する側の面）には、図示しないパットが挿入されたポケット部が形成されている。
【００２８】
図７（ａ）に示す如く、一対の小片部２１・２１は、互いに近接する一個の角部２１ａ・２１ａが連結具である大型連結具１３Ｌを介して互いに連結されている。本実施形態において、肩紐２２ａ・２２ａの端部は、一対の小片部２１における上側の角部２１ｂ・２１ｂに小型連結具１３Ｓを介して連結されている。さらに、胸紐２２ｂ・２２ｂの端部も、一対の小片部２１における側方の角部２１ｃ・２１ｃに小型連結具１３Ｓを介して連結されている。肩紐２２ａ及び胸紐２２ｂの端部には、小型連結具１３Ｓの挿入部１３ａを挿入可能な挿入部２２ｈが形成されている。
【００２９】
図７（ａ）に示す如く、それぞれの小片部２１における全ての角部２１ａ〜２１ｃには、連結具の挿入部１３ａを挿入可能な第一の挿入孔２４ａ・２４ａ・２４ａが形成されている。また、第一の挿入孔２４ａ・２４ａ・２４ａよりも内側で隣接する箇所には、挿入部１３ａを挿入可能な第二の挿入孔２４ｂ・２４ｂ・２４ｂが形成されている。
【００３０】
本使用例において水着２０を構成する際には、大型連結具１３Ｌの挿入部１３ａ・１３ａを、角部２１ａ・２１ａにおける第一の挿入孔２４ａ又は第二の挿入孔２４ｂにそれぞれ挿入する。これにより、一対の小片部２１が互いに連結される。本使用例においては、挿入部１３ａ・１３ａを第一の挿入孔２４ａ・２４ａに挿入している。
【００３１】
さらに、小型連結具１３Ｓの一端側の挿入部１３ａを、上側の角部２１ｂ・２１ｂにおける第一の挿入孔２４ａ又は第二の挿入孔２４ｂに挿入し、他端側の挿入部１３ａを肩紐２２ａの挿入部２２ｈに挿入する。また、小型連結具１３Ｓの一端側の挿入部１３ａを、側方の角部２１ｃ・２１ｃにおける第一の挿入孔２４ａ又は第二の挿入孔２４ｂに挿入し、他端側の挿入部１３ａを胸紐２２ｂの挿入部２２ｈに挿入する。これにより、紐状部２２と小片部２１とが連結される。
【００３２】
本実施形態に係る水着２０によれば、第一実施形態に係る水着１０と同様に、大型・中型・小型の連結具１３Ｌ・１３Ｍ・１３Ｓを選択して小片部２１に組み合わせるとともに、小片部２１で使用する挿入孔を第一の挿入孔２４ａ・２４ａと第二の挿入孔２４ｂ・２４ｂとで変更することにより、小片部２１の間隔Ｌを調整することが可能となる（図７（ｂ）に示す第二使用例を参照）。第二使用例における水着２０は、小型連結具１３Ｓを用いて小片部２１・２１を連結している。
【００３３】
また、水着２０によれば、小片部２１における全ての角部２１ａ〜２１ｃに、第一の挿入孔２４ａ及び第二の挿入孔２４ｂが形成されている。このため、小片部２１の配置構成を１２０度回転させて変更することができる。例えば、図７（ｂ）中の第二使用例に示す如く、左右一対の小片部２１を図７（ａ）の第一使用例に対して左右それぞれ反対方向に１２０度ずつ回転させて、小片部２１に施された縞模様を水平方向に向けることができる。そして、小片部２１を互いに連結するとともに、小片部２１と肩紐２２ａ及び胸紐２２ｂとを連結するのである。これにより、水着２０のデザインを大きく変更して楽しむことが可能となる。
【００３４】
次に、図８（ａ）を用いて、水着２０の第三使用例を説明する。本使用例における水着２０は、中型連結具１３Ｍを用いて小片部２１・２１を連結している。本使用例において水着２０は、中型連結具１３Ｍの挿入部１３ａ・１３ａを、角部２１ａ・２１ａにおける第一の挿入孔１４ａ・１４ａに挿入することにより構成されている。また、小型連結具１３Ｓの一端側の挿入部１３ａを、上側の角部２１ｂ・２１ｂ及び側方の角部２１ｃ・２１ｃにおける第一の挿入孔２４ａに挿入している。そして、右側の小片部２１において、上側の角部２１ｂにおける第二の挿入孔２４ｂに第一のアクセサリー２５ａを支持するためのピン２５ｂを挿入している。また、左側の小片部２１において、側方の角部２１ｃにおける第二の挿入孔２４ｂに第二のアクセサリー２５ｃを支持するためのピン２５ｄを挿入している。
【００３５】
このように、本実施形態に係る水着２０によれば、小片部２１を連結具で連結する部分だけでなく、紐状部２２との連結部分においてもアクセサリー２５ａ・２５ｃを組付けることができる。このように、水着２０によれば、複数の箇所にアクセサリー２５ａ・２５ｃを組付けることができるため、水着２０の装飾性をより向上させて楽しむことが可能となる。なお、図８に示す如く、本使用例における小片部２１・２１は、斜め方向の縞模様が同一の方向となるように配置されている。
【００３６】
次に、図８（ｂ）を用いて、水着２０の第四使用例を説明する。本使用例における水着２０は、分割連結具１３ｐ・１３ｐと、分割連結具１３ｐ・１３ｐの双方と結合可能なガジェット１３ｇを用いて小片部２１を連結している。本使用例において、分割連結部１３ｐ・１３ｐはガジェット１３ｇを組付けることにより、小片部２１を連結可能としている（図６（ｂ）を参照）。このように、本実施形態に係る水着２０によれば、分割連結具１３ｐ・１３ｐの間にガジェット１３ｇを組付けることにより、水着２０の装飾性を向上させて楽しむことが可能となる。
【００３７】
次に、図９及び図１０を用いて、本発明の第三実施形態に係る水着３０について説明する。本実施形態に係る水着３０は、主に女性の下半身に着用されるセパレートタイプの水着であり、腹部側の前身頃３１と臀部側の後身頃３２とを備えた布状部材で形成される。
【００３８】
図１０の第一使用例に示す如く、前身頃３１と後身頃３２との両側端部３１ａ・３２ａは、中型連結具１３Ｍを介して互いに連結されている。また、前身頃３１と後身頃３２とのそれぞれにおける両側端部３１ａ・３２ａには、中型連結具１３Ｍの挿入部１３ａを挿入可能な第一の挿入孔３３ａ・３４ａが形成されている。そして、前身頃３１と後身頃３２とのそれぞれにおける第一の挿入孔３３ａ・３４ａに隣接する箇所には、挿入部１３ａを挿入可能な第二の挿入孔３３ｂ・３４ｂが形成されている。
【００３９】
本実施形態に係る水着３０を構成する際には、中型連結具１３Ｍの挿入部１３ａ・１３ａを、両側端部３１ａ・３２ａにおける第一の挿入孔３３ａ・３４ａ又は第二の挿入孔３３ｂ・３４ｂにそれぞれ挿入することにより、前身頃３１と後身頃３２との両側端部３１ａ・３２ａを互いに連結するのである。
【００４０】
本実施形態に係る水着３０によれば、上記の実施形態に係る水着１０・２１と同様に、大型・中型・小型の連結具１３Ｌ・１３Ｍ・１３Ｓを選択して前身頃３１と後身頃３２との両側端部３１ａ・３２ａを互いに連結することにより、水着３０のサイズを容易に調節することができる（図１０に示す第二使用例を参照）。
【００４１】
次に、図１０を用いて、水着３０の第二使用例を説明する。本使用例における水着３０は、小型連結具１３Ｓを用いて両側端部３１ａ・３２ａを連結している。本使用例において水着３０は、中型連結具１３Ｍの挿入部１３ａ・１３ａを、両側端部３１ａ・３２ａにおける第一の挿入孔３３ａ・３４ａに挿入することにより構成されている。また、前身頃３１における左側の端部３１ａにおいて、第二の挿入孔３３ｂにアクセサリー３５ａを支持するためのピン３５ｂを挿入している。
【００４２】
このように、本実施形態に係る水着３０によれば、両側端部３１ａ・３２ａの連結部分においてアクセサリー３５ａを組付けることができる。このように、本実施形態によれば、下半身に着用される水着３０においてもアクセサリー３５ａを組付けることができるため、水着３０の装飾性をより向上させて楽しむことが可能となる。
【符号の説明】
【００４３】
１０        水着（第一実施形態）   １１        小片部               
１１ａ      角部                   １１ｂ      角部                 
１１ｃ      角部                   １２        紐状部               
１２ａ      肩紐                   １２ｂ      胸紐                 
１３Ｍ      中型連結具             １３Ｌ      大型連結具           
１３Ｓ      小型連結具             １３ａ      挿入部               
１３ｇ      ガジェット             １３ｐ      分割連結具           
１４ａ      第一の挿入孔           １４ｂ      第二の挿入孔         
１５ａ      アクセサリー           １５ｂ      ピン                 
２０        水着（第二実施形態）   ２１        小片部               
２１ａ      角部                   ２１ｂ      角部                 
２１ｃ      角部                   ２２        紐状部               
２２ａ      肩紐                   ２２ｂ      胸紐                 
２４ａ      第一の挿入孔           ２４ｂ      第二の挿入孔         
２５ａ      アクセサリー           ２５ｂ      ピン                 
２５ｃ      アクセサリー           ２５ｄ      ピン                 
３０        水着（第三実施形態）   ３１        前身頃               
３１ａ      側端部                 ３２        後身頃               
３２ａ      側端部                 ３３ａ      第一の挿入孔         
３３ｂ      第二の挿入孔           ３４ａ      第一の挿入孔         
３４ｂ      第二の挿入孔           ３５ａ      アクセサリー         
３５ｂ      ピン                     Ｌ        間隔                 
Ｕ        使用者               
【図１】
2019203207.tif 000003
【図２】
2019203207.tif 000004
【図３】
2019203207.tif 000005
【図４】
2019203207.tif 000006
【図５】
2019203207.tif 000007
【図６】
2019203207.tif 000008
【図７】
2019203207.tif 000009
【図８】
2019203207.tif 000010
【図９】
2019203207.tif 000011
【図１０】
2019203207.tif 000012